(57)【要約】【課題】  密着性が少なく通風性に富んだレインコートが市場に流通していなかった。【解決手段】通風を促すフレームを設けたレインコートであって、フード支持フレームとフード支持フレーム、袖口等支持フレーム及び裾支持フレームの組み合わせからなるレインコートである。それぞれのフレームには通風スペースがあり、頭部や髪、袖口との密着度が低く、着脱し易い構造のためその利便性を発揮するものである。また、フード支持フレームにより外からの音が聞こえ易くなり、裾支持フレームにより裾の捲れあがりや脚へのまとわり付きを防ぎ、快適に使用できる特徴を有する。【選択図】  図１
2020059949.tif 000002
【特許請求の範囲】
【請求項１】
通風を促すフレームを設けたレインコートであって、前記フレームが頭部フレーム、肩部フレーム、フレーム芯からなるフード支持フレームを備えたレインコート。
【請求項２】
前記フレームが前記フード支持フレーム及び通風スペースを確保、形状を保持できる袖口等支持フレームの組み合わせからなる請求項１に記載のレインコート。
【請求項３】
前記フレームが前記フード支持フレーム及び通風スペースを確保、形状を保持できる裾支持フレームの組み合わせからなる請求項１に記載のレインコート。
【請求項４】
前記フレームが前記フード支持フレーム、前記袖口等支持フレーム及び前記裾支持フレームの組み合わせからなる請求項１に記載のレインコート。
【発明の詳細な説明】
【技術分野】
【０００１】
本発明は、通風を向上させたレインコートに関する。
【背景技術】
【０００２】
従来のレインコートは通風性に乏しく、通気できてもその構造により、風雨の影響を受けて効果が得られにくいものや、髪への密着度が高く快適さを保ち難いものであった。後部に開口を設けて通気を良くする前後着用可能雨具として公開済みのものもある（特許文献１参照）。
【先行技術文献】
【特許文献】
【０００３】
【特許文献１】特開平１０−０４６４０８号公報
【発明の概要】
【発明が解決しようとする課題】
【０００４】
密着性が少なく通風性に富んだレインコートが市場に流通していなかった（特許文献１参照）。
【０００５】
本発明は、通風スペースを確保、形状を保持できる支持フレームにより通風スペースを保持し、通気性を高め密着度を低くすることで、レインコート着用時の快適さの改善を目的とするものである。
【課題を解決するための手段】
【０００６】
本発明は上記目的を達成するために、通風を促すフレームを設けたレインコートであって、前記フレームが頭部フレーム、肩部フレーム、フレーム芯からなるフード支持フレームを備えたレインコートである。また、前記フレームが、フード支持フレーム及び通風スペースを確保、形状を保持できる袖口等支持フレームの組み合わせ、フード支持フレーム及び通風スペースを確保、形状を保持できる裾支持フレームの組み合わせ、フード支持フレーム、袖口等支持フレーム及び裾支持フレームの組み合わせからなるレインコートである。
【発明の効果】
【０００７】
上述したように本発明のレインコートは、通風スペースがあり頭部や髪、袖口との密着度が低く、着脱し易い構造のためその利便性を発揮するものである。
【図面の簡単な説明】
【０００８】
【図１】本発明のレインコートの実施例形態を示す側面図。
【図２】本発明のレインコートの実施例形態を示す正面図。
【図３】本発明のレインコートの実施例を示すフード支持フレーム背面透視図。
【図４】本発明の袖口等支持フレームの実施例を示す正面図（Ａ）及び側面図（Ｂ）。
【図５】本発明の裾支持フレームの実施例を示す平面図。
【発明を実施するための形態】
【０００９】
以下、本発明の実施形態を図１〜図５に基づいて説明する。
図１は、自転車に乗った時の体位の際に本発明のレインコート本体１を着用した実施例形態を示す側面図である。頭部、袖口部分、裾部分の通風スペース８を作るための、頭部フレーム２と肩部フレーム３とフレーム芯４からなるフード支持フレーム、袖口等支持フレーム６、裾支持フレーム７を破線で表示してある。肩部フレーム３は、頭部フレーム２とフレーム芯４で連結され補強されている。頭部フードの内側に沿う頭部フレーム２内を通って後方へ貫通する頭部フード後部は、大きさの調節が出来るフード後部通風口５が有り、通常のフードとは異なり肩の位置より後ろに長い形状をしている。袖口等支持フレーム６は、手、指を差し込むことができ、形状は例えば筒状や８の字状で、指、手の甲から手首周辺にかけて延長した形状にすることもできる。フレームの形状は通風スペース８が維持できるフレームであれば、実施例形態に限定されるものではない。フード支持フレーム、袖口等支持フレーム６、裾支持フレーム７は、例えばポリエチレンなどの軽くて柔軟性のあるもので、レインコート本体１に接着、脱着又は単独で使用でき、衣類等にも利用することができる。（図中の矢印は風の流れを示す。）                            
【００１０】
図２は、自転車に乗った時の体位の際に本発明のレインコート本体１を着た実施例形態を示す正面図である。頭部、袖口部分、裾部分の通風スペース８を作るための、頭部フレーム２と肩部フレーム３とフレーム芯４からなるフード支持フレーム、袖口等支持フレーム６、裾支持フレーム７を破線で表示してある。頭と頭部フレーム２との間に風が通り抜ける十分な空間があるため、風圧を逃すことができるフード後部通風口５によりフードの形状を保持できる。また、裾フレーム７は、降りる際に外れる形状になっており、下部のからの雨の侵入と本体裾部分の気流の乱れを防ぐ効果も期待できる。
【００１１】
図３は、頭部フレーム２、肩部フレーム３、フレーム芯４からなるフード支持フレームの実施例形態を示す背面透視図である。頭部フレーム２が肩部フレーム３とフレーム芯４により垂直方向に維持されている。肩部フレーム３と連結された頭部フレーム２が、フードの内側に沿う形状でフード本体を支えて、頭との間にスペースを作り、風が通り抜けることで通気を改善させる。風が頭部フレーム２内を通って後方へ通り抜けるための、風の強さや気温によって簡単に大きさが調節できるフード後部通風口５を表示してある。フード支持フレームは、例えばポリエチレンなどの軽くて柔軟性のあるもので、レインコート本体１に接着、脱着又は単独で使用でき、衣類等にも利用することができる。また、フレーム芯４は、頭部フレーム２と肩部フレーム３を補強するだけでなく、使用する材料の特性によって、頭部フレーム２を動かす軸にもなる。その形状は実施例形態に限定されるものではなく種々変形させることが可能である。
【００１２】
図４は、ハンドルを握った際の、袖口等支持フレーム６の実施例を示す正面図（Ａ）及び側面図（Ｂ）である。指の上部に通風スペース８のある構造のフレームにより、前からの風が通り抜け、袖口からの通気を改善させる。袖口等支持フレーム６は、自転車のハンドルを握るとずれ防止ができ、通風を促す構造になっている。指を差し込むことができ、形状は例えば筒状や８の字状で、手の甲から手首周辺にかけて延長した形状にすることもできる。図は指を通す実施例であるが、その構造は袖口部に通風スペース８が維持できるフレームであれば種々変形させることが可能である。例えば、ポリエチレンなどの軽くて柔軟性のあるもので、手の動きを妨げない材料で構成されている。レインコート本体１に接着、脱着又は単独で使用できる。
【００１３】
図５は、ハンドルの下方の支柱に取り付ける、裾支持フレーム７の実施例形態を示す詳細平面図である。自転車のハンドルの支柱の下方に挟み込み口９から挟む込み、自転車から降りる時に外れるような形状である。この構造により、裾支持フレーム７のずれ防止と本体裾部分の脚へのまとわり付きを防ぐことができる。また、裾支持フレーム７が足元の上方を覆って足元の濡れを防ぐ役割も果たすこともできる。図の実施例形態にかかわらず、裾フレーム７、挟み込み口９の形状は、例えば重ねるなどのいかなるものであっても良い。例えばポリエチレンなどの軽くて柔軟性のあるもので、レインコート本体１に接着、脱着又は単独で使用できる。
【００１４】
このように、本発明は、頭部や髪、袖口との密着性が少なく、通気性が格段に良くなり、高温多湿な季節の風雨時においてその効果は顕著である。また、頭部の通風スペース８により、外からの音が聞こえ易くなり、裾の捲れあがりや脚へのまとわり付きも防ぎ、快適に使用できる特徴を有する。本発明は、前記実施例形態に限定されるものではなく、本発明の趣旨に基づいて種々変形させることが可能であり、それらを本発明から排除するものではない。また、複雑な構造でなく、従来のレインコートからの大幅な改良の必要がなく、安価な材料で製造できるので市場への流通も期待できる。
【符号の説明】
【００１５】
１  レインコート本体
２  頭部フレーム
３  肩部フレーム
４  フレーム芯
５  フード後部通風口
６  袖口等支持フレーム
７  裾支持フレーム
８  通風スペース
９  挟み込み口
【図１】
2020059949.tif 000003
【図２】
2020059949.tif 000004
【図３】
2020059949.tif 000005
【図４】
2020059949.tif 000006
【図５】
2020059949.tif 000007
【手続補正書】
【提出日】令和2年3月1日(2020.3.1)
【手続補正１】
【補正対象書類名】特許請求の範囲
【補正対象項目名】全文
【補正方法】変更
【補正の内容】
【特許請求の範囲】
【請求項１】
通風を促すフレームを設けたレインコートであって、前記フレームが頭部フレーム、肩部フレーム、フレーム芯からなるフード支持フレームを備えた、フード後部通風口を有するレインコート。
【請求項２】
前記フレームが前記フード支持フレーム及び指を差し込むことができ、通風スペースを確保、手の甲上部に通風のための形状を保持できる袖口支持フレームの組み合わせからなる請求項１に記載のレインコート。
【請求項３】
前記フレームが前記フード支持フレーム及び通風スペースを確保、自転車に挟み込み降りる時に外れる、形状を保持できる裾支持フレームの組み合わせからなる請求項１に記載のレインコート。
【請求項４】
前記フレームが前記フード支持フレーム、指を差し込むことができ、通風スペースを確保、手の甲上部に通風のための形状を保持できる袖口支持フレーム及び通風スペースを確保、自転車に挟み込み降りる時に外れる、形状を保持できる裾支持フレームの組み合わせからなる請求項１に記載のレインコート。